(57)【要約】【課題】合成樹脂製で両端が開口され、かつ、雌ネジ部１Ｂを有する軸筒１が、短い成形サイクルで大量に生産できる筆記具を提供する。【解決手段】軸筒１の内孔に雌ネジ部１Ｂを複数に分割して形成する。この複数の雌ネジ部１Ｂの内１つは他の雌ネジ部１Ｂと長手方向に１ピッチ離間して構成する。更に、複数の雌ネジ部１Ｂは互いに長手方向に重ならないように構成する。この軸筒１の雌ネジ部１Ｂに連結部材の雄ネジ部を螺合して構成する。【選択図】図１
2010137389.tif 000002
【特許請求の範囲】
【請求項１】
連結部材に雄ネジ部を形成するとともに、合成樹脂製の軸筒の両端を開口し、この軸筒の内孔に前記雄ネジ部と螺合可能な雌ネジ部を複数に分割して形成し、この複数の雌ネジ部の内１つは他の雌ネジ部と長手方向に少なくとも１ピッチ離間して構成し、かつ、複数の雌ネジ部は互いに長手方向に重ならないように構成し、前記軸筒の雌ネジ部に連結部材の雄ネジ部を螺合して連結したことを特徴とする筆記具。
【請求項２】
連結部材を、軸筒の前端に螺合されかつ略円錐形に構成された先部材とすることを特徴とする請求項１記載の筆記具。
【請求項３】
連結部材を、軸筒の後部に螺合される鞘とすることを特徴とする請求項１記載の筆記具。
【発明の詳細な説明】
【技術分野】
【０００１】
本発明は、両端が開口した合成樹脂製の軸筒の雌ネジ部に連結部材の雄ねじ部を螺合して連結する筆記具に関する。
【背景技術】
【０００２】
従来、軸筒の雌ネジ部に先部材の雄ネジ部を螺合した筆記具が知られている。（特許文献１の図２参照）
【０００３】
また、合成樹脂製の軸筒に雌ネジ部を形成する手段としては、筒状の軸筒に切削加工により雌ネジ部を形成する手段と、軸筒を射出成形する時にネジスリーブを回転しながら抜いて雌ネジ部を形成する手段が知られている。
【特許文献１】特開平１１−３０９９８２号公報
【発明の開示】
【発明が解決しようとする課題】
【０００４】
しかし、上記した合成樹脂製の軸筒を後加工により雌ネジ部を形成する手段は、加工コストが高くなるとともに軸筒が割れてしまう恐れがあり、大量生産が難しいものであった。
【０００５】
また、軸筒を射出成形する時にネジスリーブを回転しながら抜き、雌ネジ部を形成する手段は、ネジスリーブを回転することにより成形時間が長くなりコスト高になるとともに、軸筒が回らないようにするための形状が必要となってしまう欠点があった。
【０００６】
本発明は、上記課題を解消し、低コストで大量生産が可能な軸筒を有した筆記具を提供することを目的とするものである。
【課題を解決するための手段】
【０００７】
本発明は、連結部材に雄ネジ部を形成するとともに、合成樹脂製の軸筒の両端を開口し、この軸筒の内孔に前記雄ネジ部と螺合可能な雌ネジ部を複数に分割して形成し、この複数の雌ネジ部の内１つは他の雌ネジ部と長手方向に少なくとも１ピッチ離間して構成し、かつ、複数の雌ネジ部は互いに長手方向に重ならないように構成し、前記軸筒の雌ネジ部に連結部材の雄ネジ部を螺合して連結したことを第１の要旨とする。
【０００８】
また、連結部材を、軸筒の前端に螺合されかつ略円錐形に構成された先部材とすることを第２の要旨とする。
【０００９】
更に、連結部材を、軸筒の後部に螺合される鞘とすることを第３の要旨とする。
【発明の効果】
【００１０】
本発明の筆記具は、単にコアピンを抜くだけで軸筒に雌ネジ部が形成でき、短い成形サイクルで大量に雌ネジ付の軸筒が生産できる効果が奏せられるものである。
【発明を実施するための最良の形態】
【００１１】
軸筒に形成される雌ネジ部を複数に分割して形成し、この複数に分割された雌ネジ部の内１つは長手方向に少なくとも１ピッチ離間して構成し、かつ、複数の雌ネジ部は互いに長手方向に重ならないように構成し、短い成形サイクルで大量に軸筒が生産できる筆記具を実現した。
【実施例１】
【００１２】
以下、図１及び図２に基づいて本発明における実施例１の筆記具を説明する。先ず、合成樹脂製で射出成形により形成される円筒状の軸筒１の内孔１Ａ前部に、円周方向に１２０度ずつ３分割された雌ネジ部１Ｂを形成し、かつ、３分割された雌ネジ部１Ｂの１つが他の雌ネジ部１Ｂと１ピッチ離間して形成する。また、３分割された雌ネジ部１Ｂは互いに長手方向に重ならないように構成する。また、金属製あるいは合成樹脂製の先部材２を略円錐形に形成し、この後部に雄ネジ部２Ａを構成する。この雄ネジ部２Ａは前記軸筒１の雌ネジ部１Ｂと同じピッチに構成する。
【００１３】
この先部材２の雄ネジ部２Ａを軸筒１の雌ネジ部１Ｂに着脱可能に螺合する。この時、軸筒１の３分割された雌ネジ部１Ｂの１つが他の雌ネジ部１Ｂと１ピッチ離間して形成されているので、軸筒１の雌ネジ部１Ｂと先部材２の雄ネジ部２Ａは長手方向及び周方向に揺動することなく確実に連結される。
【００１４】
また、上記軸筒１は３分割された雌ネジ部１Ｂが長手方向に重なっていないので、お互いに合わされたコアピンを軸筒１の両端から抜くのみで軸筒１に雌ネジ部１Ｂが形成され、成形サイクルが短くなるので低コストで大量に軸筒を生産することができる。
【００１５】
したがって、軸筒１を把持して筆記を行った時、先部材２が揺動しないので、ボールペンのペン先やシャープペンシルの芯がガタツクことなく筆記を行うことができる。
【実施例２】
【００１６】
以下、図３に基づいて本発明における実施例２の筆記具を説明する。先ず、合成樹脂製で射出成形により形成される円筒状の軸筒１１の内孔１１Ａ後部に、円周方向に１２０度ずつ３分割された雌ネジ部１１Ｂを形成し、かつ、３分割された雌ネジ部１１Ｂの１つが１ピッチ離間して形成する。また、３分割された雌ネジ部１１Ｂは互いに長手方向に重ならないように構成する。また、クリップ３を有した鞘４の前部に雄ネジ部４Ａを構成する。この雄ネジ部４Ａは前記軸筒１１の雌ネジ部１１Ｂと同じピッチに構成する。
【００１７】
この鞘４の雄ネジ部４Ａを軸筒１１の雌ネジ部１１Ｂに着脱可能に螺合する。この時、軸筒１１の３分割された雌ネジ部１１Ｂの１つが１ピッチ離間して形成されているので、軸筒１１の雌ネジ部１１Ｂと鞘４の雄ネジ部４Ａは長手方向及び周方向に揺動することなく確実に連結される。
【００１８】
したがって、軸筒１１を把持して筆記を行った時、軸筒１１と鞘４がガタツク恐れがなく、快適に筆記を行うことができる。
【００１９】
尚、本発明は上記実施例に限定されるものではなく、軸筒に形成される雌ネジ部は３分割に限定されるものではなく、２分割でも４分割でも可能である。また、分割された雌ネジ部は１ピッチ離間する以外に２ピッチ離間することも可能である。更に、連結部材は先部材や鞘に限らず、軸筒と鞘を連結するための金輪や、軸筒の後端に設けられる頭冠であっても良い。
【産業上の利用可能性】
【００２０】
連結部材の雄ネジ部を螺合するために、雌ネジ部を形成した軸筒が短い成形サイクルでかつ大量に生産可能な筆記具に適用できる。
【図面の簡単な説明】
【００２１】
【図１】本発明の実施例１の筆記具における軸筒を示す断面図である。（実施例１）
【図２】本発明の実施例１の筆記具における軸筒に先部材を取り付けた状態を示す断面図である。（実施例１）
【図３】本発明の実施例２の筆記具における軸筒に鞘を取り付けた状態を示す断面図である。（実施例２）
【符号の説明】
【００２２】
１  軸筒
１Ａ  軸筒１の内孔
１Ｂ  軸筒１の雌ネジ部
２  先部材
４  鞘
１１  軸筒
１１Ａ  軸筒１１の内孔
１１Ｂ  軸筒１１の雌ネジ部
【図１】
2010137389.tif 000003
【図２】
2010137389.tif 000004
【図３】
2010137389.tif 000005